(57)【要約】【課題】加工が施された後の結果が高品質となる印刷物に対応する画像データを得ることのできる画像処理装置を提供する。【解決手段】画像処理装置は、印刷対象の画像データに対応する所定の画像にかかわる切り取り対象の画像の輪郭線を抽出する輪郭線抽出手段と、前記所定の画像を表示手段に表示させるとともに前記輪郭線抽出手段が抽出した輪郭線を切り取り線として当該表示手段に表示させる画像表示処理手段と、前記表示手段に表示された切り取り線にかかわる指定される所定の部分を、記録媒体における当該所定の部分が位置する表面または裏面とは反対の面に位置するように変更する切り取り線処理手段と、前記切り取り線処理手段による変更の結果に基づく切り取り線と前記所定の部分以外の切り取り線と前記所定の画像とを最新の印刷対象の画像データとして処理する画像データ処理手段と、を備える。【選択図】図２
2009288943.tif 000002
【特許請求の範囲】
【請求項１】
印刷対象の画像データに対応する所定の画像にかかわる切り取り対象の画像の輪郭線を抽出する輪郭線抽出手段と、
前記所定の画像を表示手段に表示させるとともに前記輪郭線抽出手段が抽出した輪郭線を切り取り線として当該表示手段に表示させる画像表示処理手段と、
前記表示手段に表示された切り取り線にかかわる指定される所定の部分を、記録媒体における当該所定の部分が位置する表面または裏面とは反対の面に位置するように変更する切り取り線処理手段と、
前記切り取り線処理手段による変更の結果に基づく切り取り線と前記所定の部分以外の切り取り線と前記所定の画像とを最新の印刷対象の画像データとして処理する画像データ処理手段と、
を有することを特徴とする画像処理装置。
【請求項２】
表示情報を表示する表示手段と、
印刷対象の画像データを取得する画像データ取得手段と、
前記画像データ取得手段が取得した画像データに対応する所定の画像にかかわる切り取り対象の画像の輪郭線を抽出する輪郭線抽出手段と、
前記所定の画像を前記表示手段に表示させるとともに前記輪郭線抽出手段が抽出した輪郭線を切り取り線として前記表示手段に表示させる画像表示処理手段と、
前記表示手段に表示された切り取り線にかかわる所定の部分を指定する切り取り線指定手段と、
前記切り取り線指定手段によって指定された所定の部分を、記録媒体における当該所定の部分が位置する表面または裏面とは反対の面に位置するように変更する切り取り線処理手段と、
前記切り取り線処理手段による変更の結果に基づく切り取り線と前記所定の部分以外の切り取り線と前記所定の画像とを最新の印刷対象の画像データとして処理する画像データ処理手段と、
を有することを特徴とする画像処理装置。
【請求項３】
前記切り取り線指定手段は、
前記指定した所定の部分の長さを調整するべく座標系による始点位置および終点位置を指定し、
前記切り取り線処理手段は、
前記切り取り線指定手段によって指定された始点位置および終点位置の各位置情報に基づく長さの所定の部分を、前記記録媒体における当該所定の部分が位置する表面または裏面とは反対の面に位置するように変更する、
ことを特徴とする請求項２に記載の画像処理装置。
【請求項４】
前記表示手段は、
前記所定の画像および前記切り取り線を、これらの内容に応じて前記記録媒体の表面および裏面のそれぞれに対応させて表示する、
ことを特徴とする請求項２または３に記載の画像処理装置。
【請求項５】
前記表示手段に表示された所定の画像に対し新たな加工線を設定する加工線設定手段、を更に備え、
前記画像データ処理手段は、
前記切り取り線処理手段による変更の結果に基づく切り取り線と前記所定の部分以外の切り取り線と前記所定の画像と前記加工線設定手段によって設定された加工線とを最新の印刷対象の画像データとして処理する、
ことを特徴とする請求項２〜４の何れか一項に記載の画像処理装置。
【請求項６】
請求項１〜５の何れか一項に記載の画像処理装置を有し、画像データ処理手段は最新の印刷対象の画像データを画像形成装置に向けて送信することを特徴とする情報処理装置。
【請求項７】
請求項１〜５の何れか一項に記載の画像処理装置を有し、画像データ処理手段は最新の印刷対象の画像データを基に画像形成処理を実施することを特徴とする画像形成装置。
【請求項８】
請求項６に記載の情報処理装置と、
前記情報処理装置の画像処理装置から送信される画像データを基に画像形成処理を実施する画像形成装置と、
を有することを特徴とする画像形成システム。
【請求項９】
請求項７に記載の画像形成装置と、
前記画像形成装置に向けて印刷対象の画像データを送信する情報処理装置と、
を有し、
前記画像形成装置は、
前記情報処理装置からの印刷対象の画像データを最新の印刷対象の画像データに更新した後、当該最新の印刷対象の画像データを基に画像形成処理を実施する、
ことを特徴とする画像形成システム。
【請求項１０】
印刷対象の画像データに対応する所定の画像にかかわる切り取り対象の画像の輪郭線を抽出する輪郭線抽出処理過程と、
前記所定の画像を表示手段に表示させるとともに前記輪郭線抽出処理過程により抽出された輪郭線を切り取り線として当該表示手段に表示させる画像表示処理過程と、
前記表示手段に表示された切り取り線にかかわる指定される所定の部分を、記録媒体における当該所定の部分が位置する表面または裏面とは反対の面に位置するように変更する切り取り線処理過程と、
前記切り取り線処理過程により変更された後の切り取り線と前記所定の部分以外の切り取り線と前記所定の画像とを最新の印刷対象の画像データとして処理する画像データ処理過程と、
をコンピュータに実行させることを特徴とする画像処理プログラム。
【発明の詳細な説明】
【技術分野】
【０００１】
本発明は、画像処理装置、情報処理装置、画像形成装置、画像形成システム、および画像処理プログラムに関する。
【背景技術】
【０００２】
従来、例えば大規模な流通会社（大規模の量販店や大手コンビニエンスストアなど）では店内に貼り付ける「売りこみ広告」、「のぼり」、「商品棚に掲示する商品情報」、「ＰＯＰ」を、一元管理されたデザインで中央の専門部門が用意して、各店舗に配布している。
【０００３】
これに対し、中規模の流通会社（中規模の量販店やスーパー薬局など）では、各店舗の面積や配置が異なることから、各店舗において、切り貼りを前提として、形状の異なる独自の掲示物をデザインし作成している。
【０００４】
また、従来においては、所定の画像に対応する切り取り線を印刷物（用紙）のウラ面に印刷する技術が提案されている。この場合、その切り取り線に沿って印刷物を切り取ることにより、切り取り後の印刷物に対し加工（貼付、折り曲げなど）を施すことができる。
【０００５】
なお、切り取り線を印刷物（用紙）のウラ面に印刷する装置としては、特許文献１に記載されたものが知られている。
【特許文献１】特開２００７−１０４１７２号公報
【発明の開示】
【発明が解決しようとする課題】
【０００６】
本発明は、所定の加工が施された後の結果が高品質となる印刷物に対応する画像データを得ることのできる画像処理装置、情報処理装置、画像処理プログラムを提供することを目的とする。
【０００７】
また、本発明は、所定の加工が施された後の結果が高品質となる印刷物を得ることのできる画像形成装置、画像形成システムを提供することを目的とする。
【課題を解決するための手段】
【０００８】
上記課題を解決するため、請求項１に記載の本発明の画像処理装置は、印刷対象の画像データに対応する所定の画像にかかわる切り取り対象の画像の輪郭線を抽出する輪郭線抽出手段と、前記所定の画像を表示手段に表示させるとともに前記輪郭線抽出手段が抽出した輪郭線を切り取り線として当該表示手段に表示させる画像表示処理手段と、前記表示手段に表示された切り取り線にかかわる指定される所定の部分を、記録媒体における当該所定の部分が位置する表面または裏面とは反対の面に位置するように変更する切り取り線処理手段と、前記切り取り線処理手段による変更の結果に基づく切り取り線と前記所定の部分以外の切り取り線と前記所定の画像とを最新の印刷対象の画像データとして処理する画像データ処理手段と、を有することを特徴とする。
【０００９】
上記課題を解決するため、請求項２に記載の本発明の画像処理装置は、表示情報を表示する表示手段と、印刷対象の画像データを取得する画像データ取得手段と、前記画像データ取得手段が取得した画像データに対応する所定の画像にかかわる切り取り対象の画像の輪郭線を抽出する輪郭線抽出手段と、前記所定の画像を前記表示手段に表示させるとともに前記輪郭線抽出手段が抽出した輪郭線を切り取り線として前記表示手段に表示させる画像表示処理手段と、前記表示手段に表示された切り取り線にかかわる所定の部分を指定する切り取り線指定手段と、前記切り取り線指定手段によって指定された所定の部分を、記録媒体における当該所定の部分が位置する表面または裏面とは反対の面に位置するように変更する切り取り線処理手段と、前記切り取り線処理手段による変更の結果に基づく切り取り線と前記所定の部分以外の切り取り線と前記所定の画像とを最新の印刷対象の画像データとして処理する画像データ処理手段と、を有することを特徴とする。
【００１０】
請求項３に記載の発明は、上記請求項２に記載の発明において、前記切り取り線指定手段は、前記指定した所定の部分の長さを調整するべく座標系による始点位置および終点位置を指定し、前記切り取り線処理手段は、前記切り取り線指定手段によって指定された始点位置および終点位置の各位置情報に基づく長さの所定の部分を、前記記録媒体における当該所定の部分が位置する表面または裏面とは反対の面に位置するように変更する、ことを特徴とする。
【００１１】
請求項４に記載の発明は、上記請求項２または３に記載の発明において、前記表示手段は、前記所定の画像および前記切り取り線を、これらの内容に応じて前記記録媒体の表面および裏面のそれぞれに対応させて表示する、ことを特徴とする。
【００１２】
請求項５に記載の発明は、上記請求項２〜４の何れか一項に記載の発明において、前記表示手段に表示された所定の画像に対し新たな加工線を設定する加工線設定手段、を更に備え、前記画像データ処理手段は、前記切り取り線処理手段による変更の結果に基づく切り取り線と前記所定の部分以外の切り取り線と前記所定の画像と前記加工線設定手段によって設定された加工線とを最新の印刷対象の画像データとして処理する、ことを特徴とする。
【００１３】
上記課題を解決するため、請求項６に記載の本発明の情報処理装置は、請求項１〜５の何れか一項に記載の画像処理装置を有し、画像データ処理手段は最新の印刷対象の画像データを画像形成装置に向けて送信することを特徴とする。
【００１４】
上記課題を解決するため、請求項７に記載の本発明の画像形成装置は、請求項１〜５の何れか一項に記載の画像処理装置を有し、画像データ処理手段は最新の印刷対象の画像データを基に画像形成処理を実施することを特徴とする。
【００１５】
上記課題を解決するため、請求項８に記載の本発明の画像形成システムは、請求項６に記載の情報処理装置と、前記情報処理装置の画像処理装置から送信される画像データを基に画像形成処理を実施する画像形成装置と、を有することを特徴とする。
【００１６】
上記課題を解決するため、請求項９に記載の本発明の画像形成システムは、請求項７に記載の画像形成装置と、前記画像形成装置に向けて印刷対象の画像データを送信する情報処理装置と、を有し、前記画像形成装置は、前記情報処理装置からの印刷対象の画像データを最新の印刷対象の画像データに更新した後、当該最新の印刷対象の画像データを基に画像形成処理を実施する、ことを特徴とする。
【００１７】
上記課題を解決するため、請求項１０に記載の本発明の画像処理プログラムは、印刷対象の画像データに対応する所定の画像にかかわる切り取り対象の画像の輪郭線を抽出する輪郭線抽出処理過程と、前記所定の画像を表示手段に表示させるとともに前記輪郭線抽出処理過程により抽出された輪郭線を切り取り線として当該表示手段に表示させる画像表示処理過程と、前記表示手段に表示された切り取り線にかかわる指定される所定の部分を、記録媒体における当該所定の部分が位置する表面または裏面とは反対の面に位置するように変更する切り取り線処理過程と、前記切り取り線処理過程により変更された後の切り取り線と前記所定の部分以外の切り取り線と前記所定の画像とを最新の印刷対象の画像データとして処理する画像データ処理過程と、をコンピュータに実行させることを特徴とする。
【発明の効果】
【００１８】
請求項１記載の発明によれば、所定の加工が施された後の結果が高品質となる印刷物に対応する画像データを得ることができる。
【００１９】
請求項２記載の発明によれば、所定の加工が施された後の結果が高品質となる印刷物に対応する画像データを得ることができる。
【００２０】
請求項３記載の発明によれば、所定の画像に対応する切り取り線にかかわる所定の部位を座標系による位置情報に基づき調整することができるので、所望の加工精度の加工後の印刷物に対応する画像データを得ることができる。
【００２１】
請求項４記載の発明によれば、記録媒体の表面および裏面のそれぞれに対応して印刷されるべく所定の画像および切り取り線の内容を参照して、ユーザが切り取り線にかかわる所定の部位を記録媒体の表面または裏面に印刷されるように指定することができるで、ユーザが所望する加工が施された後の結果が高品質となる印刷物に対応する画像データを得ることができる。
【００２２】
請求項５記載の発明によれば、所定の画像に対応して切り取り線および新たな加工線を設定することができるので、ユーザが所望する加工が施された後の結果が高品質となる印刷物に対応する画像データを得ることができる。
【００２３】
請求項６記載の発明によれば、所定の加工が施された後の結果が高品質となる印刷物に対応する画像データを得ることができる。
【００２４】
請求項７記載の発明によれば、所定の加工が施された後の結果が高品質となる印刷物を得ることができる。
【００２５】
請求項８記載の発明によれば、所定の加工が施された後の結果が高品質となる印刷物を得ることができる。
【００２６】
請求項９記載の発明によれば、所定の加工が施された後の結果が高品質となる印刷物を得ることができる。
【００２７】
請求項１０記載の発明によれば、所定の加工が施された後の結果が高品質となる印刷物に対応する画像データを生成させることのできるソフトウェアを提供することができる。
【発明を実施するための最良の形態】
【００２８】
以下、本発明の実施の形態を図面に基づいて詳細に説明する。なお、実施の形態を説明するための図面において同一の構成要素には原則として同一の符号を付し、その繰り返しの説明は省略する。
【００２９】
（実施の形態１）
【００３０】
図１は、実施の形態１に係る画像形成システムの機能構成を示している。
【００３１】
画像形成システム１は、図１に示すように、画像処理装置あるいは情報処理装置の機能を果たすコンピュータ１０と画像形成装置の機能を果たすプリンタ２０とを有している。コンピュータ１０とプリンタ２０とは通信回線３０を介して接続されている。通信回線３０としては、通信ケーブル、ローカルエリアネットワーク（ＬＡＮ）や電話回線などの有線通信回線、無線ＬＡＮなどの無線通信回線、さらには、これらの通信回線を組み合わせたもの、などが挙げられる。
【００３２】
コンピュータ１０は、画像処理部１１、記憶部１２、インタフェース１３、入力部１４、および表示部１５を備えている。
【００３３】
画像処理部１１は、画像データを作成するとともに印刷データを作成し、作成した画像データおよび印刷データを記憶部１２に格納し、また作成した印刷データをインタフェース１３へ出力する。
【００３４】
記憶部１２は、上記作成された画像データや印刷データ、画像処理部１１による処理の過程の結果（更新後の印刷データ）、後述するドライバユーザインタフェースや印刷プレビューユーザインタフェースなどを記憶する。
【００３５】
インタフェース１３は、プリンタ２０との間で通信を行うものであり、例えば画像処理部１１からの印刷データ（画像データ）をプリンタ２０に向けて送信する。
【００３６】
入力部１４は、画像データの作成や印刷要求の指示など所定の入力情報を入力する。この入力部１４としては、例えばキーボード、マウスなど入力装置が挙げられる。
【００３７】
表示部１５は、後述するドライバユーザインタフェース、印刷プレビューユーザインタフェース、所定の画像などをプレビュー（印刷プレビュー）するなど所定の表示情報を表示する。この表示部１５としては、例えばディスプレイ装置が挙げられる。
【００３８】
実施の形態１では、表示部１５は、印刷対象の画像データに対応する所定の画像、該所定の画像にかかわる切り取り対象の画像の輪郭線などの表示情報を表示（印刷プレビュー）する表示手段の機能と、上記所定の画像および上記切り取り線を、これらの記録媒体に形成される内容に応じて記録媒体の表面および裏面のそれぞれに対応させて表示する表示手段の機能と、を有している。
【００３９】
また、実施の形態１では、入力部１４は、表示部（表示手段）１５に表示（印刷プレビュー）された切り取り線にかかわる所定の部分を指定する切り取り線指定手段の機能と、該指定した所定の部分の長さを調整するべく座標系による始点位置および終点位置を指定する切り取り線指定手段の機能とを有している。入力部１４は、表示部１５に表示された所定の画像に対し新たな加工線を設定する加工線設定手段の機能も有している。
【００４０】
さて、画像処理部１１は、画像データを作成するとともにユーザの印刷要求の指示に応じて印刷対象の画像データをプリンタドライバ１００へ出力するアプリケーションソフトウェア１０１と、アプリケーションソフトウェア１０１からの印刷対象の画像データを印刷データに変換して、インタフェース１３へ出力するプリンタドライバ１００と、を有している。
【００４１】
プリンタドライバ１００は、印刷対象の画像データをページ記述言語により記述したデータ（ＰＤＬデータ）つまり印刷データに変換するプリンタドライバ画像データ処理部１１０と、ユーザの指示情報に従ってその印刷対象の印刷データ（画像データ）に対し切り取り線あるいは加工線を設定するプリンタドライバユーザインタフェース処理部（以下「プリンタドライバＵＩ処理部」という。）１２０と、を有している。このプリンタドライバ１００の詳細については後述する。
【００４２】
なお、実施の形態１では、ソフトウェアとしてのプリンタドライバ１００およびアプリケーションソフトウェア１０１は記憶部１２に格納されており、中央演算処理装置が記憶部１２からこれらのソフトウェアを読み出して実行することにより、プリンタドライバ１００およびアプリケーションソフトウェア１０１の各機能が実現されるようになっている。
【００４３】
また、実施の形態１では、コンピュータ１０は、画像処理装置として機能する場合、少なくとも画像処理部１１および記憶部１２で画像処理装置の機能を果たすようになっている。
【００４４】
また、実施の形態１では、コンピュータ１０は、画像処理装置として機能する場合、上記各構成要素１１〜１５で画像処理装置の機能を果たすようになっている。
【００４５】
さらに、実施の形態１では、コンピュータ１０は、情報処理装置として機能する場合、上記画像処理部１１および記憶部１２が画像処理装置の機能を果たし、この画像処理装置（画像処理部１１および記憶部１２）と上記各構成要素１３〜１５とで情報処理装置の機能を果たすようになっている。
【００４６】
プリンタ２０は、インタフェース２１、画像処理部２２、エンジン制御部２３、エンジン部２４、および操作パネル２５を備えている。
【００４７】
インタフェース２１は、コンピュータ１０との間で通信を行うものであり、例えば印刷データを受信し、これを画像処理部２２へ出力する。
【００４８】
画像処理部２２は、インタフェース２１からの印刷データに対し描画処理（ラスタデータへの変換処理）、色変換処理、階調補正処理、網点生成処理など画像処理を施し、画像処理後の画像データ（ページ単位のラスタデータ）をエンジン制御部２３へ出力する。
【００４９】
エンジン制御部２３は、エンジン部２４に対し、画像処理部２２からの画像処理後の画像データを出力し画像形成を実施するように制御する。
【００５０】
エンジン部２４は、エンジン制御部２３の制御に従って画像データに基づき画像を記録媒体（例えば用紙）に画像形成（印刷）し、その記録媒体（印刷物）をプリンタ２０の外部へ出力する。
【００５１】
操作パネル２５は、所定の入力情報を入力する機能部と所定の表示情報を表示する機能部とを有する。
【００５２】
次に、プリンタドライバ１００の詳細について、図２を参照して説明する。
【００５３】
プリンタドライバ１００において、プリンタドライバ画像データ処理部１１０は、図２に示すように、印刷対象データ取得部１１１と画像データ処理部１１２とを有している。
【００５４】
印刷対象データ取得部１１１は、アプリケーションソフトウェア１０１からの印刷対象の画像データを取得する画像データ取得手段の機能を有している。
【００５５】
画像データ処理部１１２は、記憶部１２に保存された印刷対象の画像データを基に印刷データ（ＰＤＬデータ）を作成し、これを記憶部１２に保存する。例えばイメージ、図形、文字に応じた描画オブジェクトつまり印刷データ（ＰＤＬデータ）が作成される。
【００５６】
上述したようにして作成された印刷データは、記憶部１２における上記画像データが記憶されている記憶領域とは異なる記憶領域に保存されるようになっている。もちろん、印刷データを、記憶部１２における上記画像データが記憶されている記憶領域に上書きするようにしてもよい。
【００５７】
また、画像データ処理部１１２は、印刷データを記憶部１２に保存した後、切り取り線の設定処理を行うか否かをユーザに対し問い合わせするとともに、ユーザからの当該問い合わせに対する結果が切り取り線の設定処理を実施しない旨のときは、記憶部１２に記憶されている印刷データを読み出してインタフェース１３に渡し、一方、ユーザからの当該問い合わせに対する結果が切り取り線の設定処理を実施する旨のときは、プリンタドライバＵＩ処理部１２０に対し、切り取り線の設定処理を依頼する。
【００５８】
また、画像データ処理部１１２は、後述する切り取り線処理部（切り取り線処理手段）１２４による変更処理の結果に基づく切り取り線と該切り取り線以外の切り取り線（後述する所定の部分以外の切り取り線）と印刷対象データ取得部（画像データ取得手段）１１１が取得した画像データに対応する所定の画像とを最新の印刷対象の画像データ（印刷データ）として処理する画像データ処理手段の機能を有している。
【００５９】
さらに、画像データ処理部１１２は、後述する切り取り線処理部１２４による変更処理の結果に基づく切り取り線と該切り取り線以外の切り取り線（後述する所定の部分以外の切り取り線）と上記所定の画像と入力部（加工線設定手段）１４によって設定された加工線とを最新の印刷対象の画像データ（印刷データ）として処理する画像データ処理手段の機能も有している。
【００６０】
なお、画像データ処理部１１２は、後述する切り取り線処理部１２４からの切り取り線（加工線）の設定の完了を示す旨を受け取ったときは、記憶部１２の記憶部内容（最新の印刷対象の印刷データ）を読み出してインタフェース１３に渡す。
【００６１】
インタフェース１３は、画像データ処理部１１２から渡された印刷データをプリンタ２０に向けて送信する。
【００６２】
プリンタドライバＵＩ処理部１２０は、図２に示すように、輪郭線抽出部１２１、印刷プレビュー処理部１２２、および加工線処理部１２３を有している。
【００６３】
輪郭線抽出部１２１は、印刷対象データ取得部（画像データ取得手段）１１１が取得した画像データに対応する所定の画像にかかわる切り取り対象の画像の輪郭線を抽出する輪郭線抽出手段の機能を有している。
【００６４】
この輪郭線抽出部１２１は、記憶部１２に保存されている印刷データ（画像データ）を基に切り取り対象の画像の輪郭線を抽出し、この抽出した輪郭線を基に記憶部１２の記憶内容を更新するとともに、輪郭線を抽出した旨を印刷プレビュー処理部１２２へ通知する。なお、記憶部１２には、所定の画像と輪郭線とをそれぞれ示す印刷データ（画像データ）が記憶されていることになる。
【００６５】
印刷プレビュー処理部１２２は、上記所定の画像を表示部（表示手段）１５に表示（印刷プレビュー）させるとともに輪郭線抽出部（輪郭線抽出手段）１２１が抽出した輪郭線を切り取り線として表示部１５に表示（印刷プレビュー）させる画像表示処理手段の機能を有している。
【００６６】
この印刷プレビュー処理部１２２は、記憶部１２の記憶内容（印刷データ）を基に所定の画像および切り取り線（輪郭線）を表示部１５に印刷プレビューさせるとともに、印刷プレビューさせた旨を加工線処理部１２３へ通知する。
【００６７】
加工線処理部１２３は、切り取り線処理部１２４を有している。
【００６８】
切り取り線処理部１２４は、表示部１５に表示された切り取り線にかかわる指定される所定の部分、つまり入力部（切り取り線指定手段）１４によって指定された切り取り線にかかわる所定の部分を、記録媒体（例えば用紙）における当該所定の部分が位置する表面または裏面とは反対の面に位置するように変更する切り取り線処理手段の機能を有している。
【００６９】
また、切り取り線処理部１２４は、入力部（切り取り線指定手段）１４によって指定された始点位置および終点位置の各位置情報に基づく長さの所定の部分を、記録媒体における当該所定の部分が位置する表面または裏面とは反対の面に位置するように変更する切り取り線処理手段の機能も有している。
【００７０】
なお、切り取り線処理部１２４は、切り取り線にかかわる所定の部分を所定の位置に変更したときは、その変更内容に応じて記憶部１２の記憶内容を更新するとともに、入力部１４からの入力操作による切り取り線（加工線）の設定の完了を示す旨を受け取ったときは、その旨をプリンタドライバ画像データ処理部１１０の画像データ処理部１１２へ通知する。
【００７１】
ちなみに、切り取り線（加工線）の設定の完了を示す旨を切り取り線処理部１２４が受け取ったときは、記憶部１２の記憶部内容は最新の印刷対象の印刷データ（画像データ）となる。
【００７２】
上述した構成のプリンタドライバＵＩ処理部１２０は、プリンタドライバ画像データ処理部１１０の画像データ処理部１１２からの切り取り線の設定処理の依頼を受け付けたときに、輪郭線抽出部１２１、印刷プレビュー処理部１２２、および加工線処理部１２３による上述した所定の処理を実施することになる。
【００７３】
次に、印刷対象の画像データに対応する所定の画像に対する切り取り線などの加工線の設定の操作について、図３〜図９を参照して説明する。
【００７４】
ユーザの入力部１４の操作による印刷要求の操作指示に応じて、起動中のアプリケーションソフトウェア１０１がプリンタドライバ１００に対し印刷対象の画像データの印刷要求を行うと、プリンタドライバ１００では、プリンタドライバ画像データ処理部１１０の画像データ処理部１２１は、記録部１２に記憶されている図３に示すようなドライバユーザインタフェース（以下「ドライバＵＩ」という。）３００を表示部１５に表示させる。
【００７５】
ドライバＵＩ３００において、ユーザが入力部１４を操作して「切り取り線設定」のユーザインタフェースタブ（以下「ＵＩタブ」という。）３０１を選択（クリック）すると、「切り取り線設定」のための領域３０２が表示される。そして、ユーザは、切り取り線の印刷を行う場合、入力部１４を操作して「切り取り線を印刷する」の項目３０３をチェックする。このようにして「切り取り線を印刷する」の項目３０３がチェックされると、「印刷プレビューで詳細設定を行う」の項目３０４が選択可能になるので、ユーザは、詳細設定を行う場合、入力部１４を操作して「印刷プレビューで詳細設定を行う」の項目３０４をチェックし、さらに「ＯＫ」ボタン３０５を選択（クリック）する。
【００７６】
このようにして入力（設定）されたドライバＵＩ３００に対する入力情報（設定情報）は、プリンタドライバ画像データ処理部１１０（の画像データ処理部１１２）に入力されるようになっている。
【００７７】
ところで、画像データ処理部１１２が実施する、上述した切り取り線の設定処理を行うか否かのユーザに対する問い合わせは、ドライバＵＩ３００を表示部１５に表示させることにより行われる。そして、少なくとも、ＵＩタブ３０１が選択（クリック）され、「切り取り線を印刷する」の項目３０３がチェックされたときは、切り取り線の設定処理を実施する旨が指定されたとする。これに対し、「ＯＫ」ボタン３０５のみが選択（クリック）されたときは、切り取り線の設定処理を実施しない旨が指定されたとする。
【００７８】
プリンタドライバＵＩ処理部１２０は、プリンタドライバ画像データ処理部１１０の画像データ処理部１１２からの切り取り線の設定処理の依頼を受け付けると、記憶部１２に記憶されている印刷データに対応する所定の画像および図４に示すような印刷プレビューユーザインタフェース（以下「印刷プレビューＵＩ」という）」４００を表示部１５に表示させる。
【００７９】
印刷プレビューＵＩ４００は、図４に示すように、記録媒体の表面に印刷される画像を表示（印刷プレビュー）するための印刷オモテ面表示領域４１０と、記録媒体の裏面に印刷される画像を表示（印刷プレビュー）するための印刷ウラ面表示領域４２０と、加工線の種類を指定するための加工線指定欄４３０と、かんたん設定を指定する項目つまり「切り取り線（輪郭線）を自動配置」項目４４０と、例えば加工線指定欄４３０に指定した加工線を確定するなど、印刷プレビューＵＩ４００に対して指定（設定）した内容を確定するための「ＯＫ」ボタン４５０と、印刷オモテ面表示領域４１０および印刷ウラ面表示領域４２０のそれぞれに表示された画像を基に印刷を実行させるための「印刷開始」ボタン４６０と、を有している。
【００８０】
なお、印刷プレビュー処理部１２２による印刷プレビュー処理が実施されることにより、印刷オモテ面表示領域４１０には、例えば記録媒体の表面に対応する印刷オモテ面４１１と印刷される画像４１２とが表示され、また印刷ウラ面表示領域４２０には、例えば記録媒体の裏面に対応する印刷ウラ面４２１と印刷される画像４２２とが表示される。ちなみに、画像４１２は図形（背景は第１の色）およびテキスト（５０％およびＯＦＦは第２の色）であり、一方、画像４２２は図形（背景は第３の色）およびテキスト（ｓａｌｅは第４の色＝第２の色）である。
【００８１】
また、加工線指定欄４３０には、例えば「切り取り線」、「山折り線」および「谷折り線」の３種類の加工線の中から所望の加工線を選択（指定）することができるようになっている。ちなみに、かんたん設定の「切り取り線（輪郭線）を自動配置」項目４４０が選択された場合は、加工線指定欄４３０には「切り取り線」が設定（指定）されるようになっている。
【００８２】
実施の形態１では、印刷対象の画像データ（印刷データ）に対応する所定の画像は、画像４１２および画像４２２に対応し、また当該所定の画像にかかわる切り取り対象の画像は画像４１２に対応する。そのため、印刷プレビューＵＩ４００の印刷オモテ面表示領域４１０に表示され、記録媒体の表面に印刷される画像４１２にかかわる輪郭線（切り取り線）が抽出されるようになっている。
【００８３】
ユーザは、印刷プレビューＵＩ４００に対して、加工線としての切り取り線（輪郭線）の配置操作、加工線としての切り取り線の印刷面の変更操作、加工線の追加操作、および印刷開始の操作を行うことができるので、これらの操作について説明する。
【００８４】
（１）「加工線としての切り取り線（輪郭線）の配置操作」
【００８５】
かんたん設定の「切り取り線（輪郭線）を自動配置」項目４４０をチェックし、「ＯＫ」ボタン４５０をクリックする。
【００８６】
このような操作が行われると、輪郭線抽出部１２１による輪郭線抽出処理および印刷プレビュー処理部１２２による印刷プレビュー処理が実施され、図４に示す印刷プレビューＵＩ４００は、図５に示す内容に遷移する。この時点においては、輪郭線つまり切り取り線４７０はすべて印刷オモテ面表示領域４１０内の印刷オモテ面４１１に表示される。
【００８７】
ところで、表示部１５による図５の印刷プレビューＵＩ４００の表示内容、特に、印刷オモテ面表示領域４１０および印刷ウラ面表示領域４２０への表示内容の表示は、上記表示手段によって、所定の画像（画像４１２、画像４２２）および切り取り線（切り取り線４７０）が、これらの内容に応じて当該記録媒体の表面および裏面のそれぞれに対応されて表示されたことを意味する。
【００８８】
なお、実施の形態１では、かんたん設定を使用せずに（かんたん設定の「切り取り線（輪郭線）を自動配置」項目４４０はチェックが外された状態）、任意の場所に切り取り線を指定するようにしてもよい。この場合、加工線指定欄４３０の３種類の加工線の中から「切り取り線の加工線を選択（指定）し、その後、任意の場所でポインタをドラックして指定する。
【００８９】
例えば、加工線指定欄４３０で「切り取り線」の加工線を選択（指定）し、次に印刷対象の画像における切り取り線として指定したい部位を、当該部位が含まれるようにポインタをドラックして指定する。具体的には、図４の画像４１２に関して、図５の画像４１２にかかわる切り取り線（輪郭線）４７０と同様の切り取り線を指定したい場合、加工線指定欄４３０で「切り取り線の加工線を選択（指定）し、画像４１２の全てが含まれるようにポインタをドラックする。これにより、図４の印刷プレビューＵＩ４００は、図５の内容に遷移することになる。
【００９０】
（２）「加工線としての切り取り線の印刷面の変更操作」
【００９１】
図５に示す印刷プレビューＵＩ４００の表示内容の状態から、切り取り線の印刷面の変更を行う場合は、加工線指定欄４３０に指定されて加工線が「切り取り線」であることを確認する。なお、加工線指定欄４３０に加工線として「山折り線」あるいは「谷折り線」が選択（指定）されている場合は、「切り取り線」を選択（指定）する。
【００９２】
次に、図６に示すように、切り取り線４７０の変更したい部分を例えばポインタをドラックして指定し、さらに「ＯＫ」ボタン４５０をクリックする。ここでは、切り取り線４７０の変更したい部分は、図６に示す符号４７０Ａで示される点線の内側の切り取り線４７２とする。この場合、切り取り線４７０は、切り取り線４７１と切り取り線４７２とで構成されることになる。
【００９３】
ところで、入力部１４による図６の切り取り線４７０の変更したい部分４７０Ａの指定は、上記切り取り線指定手段によって、切り取り線にかかわる所定の部分が指定されたことを意味する。
【００９４】
このような操作が行われると、加工線処理部１２３による加工線処理および印刷プレビュー処理部１２２による印刷プレビュー処理が実施され、図６に示す印刷プレビューＵＩ４００は、図７に示す内容に遷移する。
【００９５】
図７に示すように、図６に示す符号４７０Ａで示される点線の内側の切り取り線４７２は、加工線処理部１２３によって座標のミラー変換が行われ、印刷オモテ面表示領域４１０内の印刷オモテ面４１１から印刷ウラ面表示領域４２０内の印刷ウラ面４２１に変更される。
【００９６】
なお、実施の形態１では、切り取り線４７０の変更したい部分を詳細に指定した場合（詳細な加工線の印刷位置を指定したい場合）、入力部１４によって任意の線を選択する操作例えばダブルクリックすると、当該選択された任意の線に関し、座標軸（座標系）による始点位置および終点位置を例えばミリメートル単位で指定することができる。
【００９７】
すなわち、任意の線がダブルクリックされると、当該選択された任意の線にかかわる始点位置および終点位置の各位置情報が表示されるので、その各位置情報を所望の値に変更し、さらに「ＯＫ」ボタン４５０をクリックする。これにより、詳細な印刷位置が指定された任意の線は、加工線処理部１２３によって座標のミラー変換が行われ、印刷オモテ面表示領域４１０内の印刷オモテ面４１１から印刷ウラ面表示領域４２０内の印刷ウラ面４２１に変更される。
【００９８】
（３）「加工線の追加操作」
【００９９】
図７に示す印刷プレビューＵＩ４００の表示内容の状態から、さらに加工線が必要な場合、例えば「谷折り線」が必要な場合は、図８に示すように、加工線指定欄４３０の３種類の加工線の中から「谷折り線」の加工線を選択（指定）し、「谷折り線」を配置したい位置を指定し、さらに「ＯＫ」ボタン４５０をクリックする。
【０１００】
新たな加工線としての「谷折り線」の指定位置は、図８に示すように、例えば、「谷折り線」を配置したい位置の始点と終点とで形成される線分４７０Ｂが得られるようにポインタをドラックして指定する。
【０１０１】
ところで、入力部１４による図８の「谷折り線」を配置したい位置としての線分４７０Ｂの指定は、上記加工線設定手段によって、所定の画像に対し新たな加工線が設定されたことを意味する。
【０１０２】
このような操作が行われると、加工線処理部１２３による加工線処理および印刷プレビュー処理部１２２による印刷プレビュー処理が実施され、図８に示す印刷プレビューＵＩ４００は、図９に示す内容に遷移する。
【０１０３】
図９に示す印刷プレビューＵＩ４００の表示内容は、図７に示す印刷プレビューＵＩ４００の表示内容において、切り取り線４７２に谷折り線４７３が追加された構成になっている。
【０１０４】
この図９に示す印刷プレビューＵＩ４００の表示内容から明らかなように、印刷オモテ面表示領域４１０内の印刷オモテ面４１１には、画像４１２と切り取り線４７１とが表示されている。一方、印刷ウラ面表示領域４２０内の印刷ウラ面４２１には、画像４２２と切り取り線４７２と谷折り線４７３とが表示されている。
【０１０５】
（４）「印刷開始の操作」
【０１０６】
そして、図９に示す印刷プレビューＵＩ４００の表示内容でよい場合は、「印刷開始」ボタン４６０を押下（クリック）する。
【０１０７】
これにより、図９に示す印刷プレビューＵＩ４００の表示内容に対応する印刷データ（画像データ）がコンピュータ１０からプリンタ２０に向けて送信され、プリンタ２０によって、その印刷データ（画像データ）に基づき画像が記録媒体（用紙）に画像形成される。
【０１０８】
なお、図９において、切り取り線４７２は切り取り線処理部（切り取り線処理手段）１２４による変更の結果に基づく切り取り線に対応し、切り取り線４７１は所定の部分以外の切り取り線に対応し、画像４１２および画像４２２は所定の画像に対応し、谷折り線４７３は入力部（加工線設定手段）１４によって設定された加工線に対応する。
【０１０９】
このようにして画像形成処理が実施された結果つまり印刷物（記録媒体）の一例を図１０（ａ）に示す。図１０（ａ）において、符号４１１Ａは印刷物（記録媒体）の表面（印刷オモテ面）を示し、符号４２１Ａは印刷物（記録媒体）の裏面（印刷ウラ面）を示し、符号４７１Ａは図９の切り取り線４７１に対応する印刷された切り取り線を示し、符号４７２Ａは図９の切り取り線４７２に対応する印刷された切り取り線を示し、符号４７３Ａは図９の谷折り線４７３に対応する印刷された谷折り線を示す。
【０１１０】
この図１０（ａ）に示す印刷物に対し、その印刷物に印刷されている加工線（この例では、切り取り線、谷折り線）を基に加工（この例では切り取り、山折り）を施した後の、加工後の印刷物の一例を図１０（ｂ）に示す。
【０１１１】
この図１０（ｂ）に示す印刷物（加工後の印刷物）の利用形態としては、例えば図１１（ａ），（ｂ）に示すように、少しお洒落な家具、インテリアや雑貨のお店の掲示物として利用する形態が考えられる。
【０１１２】
図１０（ｂ）に示す印刷物（加工後の印刷物）が図１１（ａ），（ｂ）に示すような利用形態で利用される状態において、人（お客）が、図１１（ａ）の矢印Ａの方向、また図１１（ｂ）の矢印Ｂの方向から、家具やインテリア、加工後の印刷物を目視した場合は、加工後の印刷物における前記目視される面には、印刷物（記録媒体）の表面（印刷オモテ面）４１１Ａの切り取り線４７１Ａ、印刷物（記録媒体）の裏面（印刷ウラ面）４２１Ａの切り取り線４７２Ａおよび谷折り線４７３Ａは現れない（図１０（ｂ）参照）。そのため、加工後の印刷物の仕上がりを損ねることはない。
【０１１３】
次に、コンピュータ１０による切り取り線（加工線）の設定処理について、図１２を参照して説明する。
【０１１４】
図１２は、その切り取り線（加工線）の設定処理の処理手順を示すフローチャートである。
【０１１５】
コンピュータ１０においては、アプリケーションソフトウェア１０１から印刷対象の画像データにかかわる印刷要求があると、プリンタドライバ１００では、プリンタドライバ画像データ処理部１１０は、印刷対象データ取得部１１１によってアプリケーションソフトウェア１０１からの印刷対象の画像データを取得するとともに（ステップＳ１０１）、画像データ処理部１１２によって前記取得された画像データを記憶部１２に格納し、その後、図３に示すドライバＵＩ３００を表示部１５に表示させる。
【０１１６】
ここで、印刷対象の画像データは、例えば図１３に示す画像データつまり図４に示した印刷オモテ面４１１に印刷される画像４１２、および印刷ウラ面４２１に印刷される画像４２２に対応する画像データであるとする。
【０１１７】
さて、ユーザは、表示部１５に表示されたドライバＵＩ３００を利用して、切り取り線の印刷設定を行う場合、入力部１４を操作して、ＵＩタブ３０１を選択（クリック）し、次にこの操作に起因して「切り替え線設定」のための領域３０２が表示されるので「切り取り線を印刷する」の項目３０３をチェックする。
【０１１８】
このようにして「切り取り線を印刷する」の項目３０３がチェックされると、「印刷プレビューで詳細設定を行う」の項目３０４が選択可能になるので、ユーザは、詳細設定を行う場合、入力部１４を操作して「印刷プレビューで詳細設定を行う」の項目３０４をチェックし、さらに「ＯＫ」ボタン３０５を選択（クリック）する。
【０１１９】
なお、ユーザは、切り取り線の印刷設定を行わない場合、入力部１４を操作して、「ＯＫ」ボタン３０５のみを選択（クリック）する。
【０１２０】
さて、プリンタドライバ画像データ処理部１１０では、画像データ処理部１１２は、「切り取り線を印刷する」の項目３０３がチェックされたか否かに応じて、切り取り線（加工線）を印刷するか否かを判断する（ステップＳ１０２）。
【０１２１】
ここで、「切り取り線を印刷する」の項目３０３がチェックされた場合には切り取り線（加工線）を印刷すると判断され、一方、その項目３０３がチェックされない、またはＵＩタブ３０１が選択（クリック）されず、「ＯＫ」ボタン３０５が選択（クリック）された場合は、切り取り線（加工線）を印刷しないと判断されるようになっている。
【０１２２】
ステップＳ１０２において切り取り線（加工線）を印刷すると判断した画像データ処理部１１２は、「印刷プレビューで詳細設定を行う」の項目３０４がチェックされたか否かに応じて、切り取り線（加工線）の詳細設定が必要であるか否かを判断する（ステップＳ１０３）。
【０１２３】
ここで、「印刷プレビューで詳細設定を行う」の項目３０４がチェックされ、さらに「ＯＫ」ボタン３０５が選択（クリック）された場合には、切り取り線（加工線）の詳細設定が必要であると判断され、一方、「印刷プレビューで詳細設定を行う」の項目３０４がチェックされず、「ＯＫ」ボタン３０５が選択（クリック）された場合は、切り取り線（加工線）の詳細設定は必要ないと判断されるようになっている。
【０１２４】
ステップＳ１０３において切り取り線（加工線）の詳細設定が必要であると判断した画像データ処理部１１２は、記憶部１２に格納されている印刷対象の画像データを基に印刷データ（ＰＤＬデータ）を作成し（ステップＳ１０４）、その後、プリンタドライバＵＩ処理部１２０に対し、切り取り線（加工線）の詳細設定処理を依頼する。
【０１２５】
その切り取り線（加工線）の詳細設定処理の依頼を受け付けたプリンタドライバＵＩ処理部１２０は、印刷プレビュー表示画面つまり印刷プレビューＵＩ４００に対しての切り取り線（加工線）の詳細設定、およびその設定内容に基づき印刷データを変更するなど、切り取り線（加工線）の詳細設定の処理を実行する（ステップＳ１０５）。この場合、印刷プレビューＵＩ４００が表示されることになる。なお、切り取り線（加工線）の詳細設定処理の詳細については後述する。
【０１２６】
ステップＳ１０５を終了したプリンタドライバＵＩ処理部１２０は、切り取り線（加工線）の詳細設定の処理を終了した旨をプリンタドライバ画像データ処理部１１０（の画像データ処理部１１２）へ通知する。プリンタドライバ画像データ処理部１１０では、画像データ処理部１２２は、記憶部１２内の印刷データ（最新の印刷対象の印刷データ）を、インタフェース１３を介してプリンタ２０へ送信する（ステップＳ１０６）。
【０１２７】
そして、プリンタ２０は、コンピュータ１０からの印刷データを基に画像形成処理を実施し、この画像形成処理の結果としての印刷物（記録媒体）を出力する。この場合の印刷物の一例としては、例えば図１０（ａ）に示す内容の印刷物が挙げられる。
【０１２８】
ところで、ステップＳ１０３において切り取り線（加工線）の詳細設定は必要ないと判断した画像データ処理部１１２は、記憶部１２に格納されている印刷対象の画像データを基に印刷データ（ＰＤＬデータ）を作成し（ステップＳ１０７）、その後、プリンタドライバＵＩ処理部１２０に対し、輪郭線の抽出処理を依頼する。
【０１２９】
その輪郭線抽出処理の依頼を受け付けたプリンタドライバＵＩ処理部１２０では、輪郭線抽出部１２１は、記憶部１２に保存されている印刷データを基に切り取り対象の画像（この例では画像４１２）の輪郭線を抽出し、この抽出した輪郭線を基に記憶部１２の記憶内容を更新する（ステップＳ１０８）。この場合、印刷プレビューＵＩ４００は表示されない。なお、輪郭線抽出処理の詳細については後述する。
【０１３０】
輪郭線抽出部１２１による輪郭線抽出処理が終了すると、プリンタドライバＵＩ処理部１２０は、輪郭線抽出処理が終了した旨をプリンタドライバ画像データ処理部１１０（の画像データ処理部１１２）へ通知する。そして、ステップＳ１０６が実行される。すなわち、プリンタドライバ画像データ処理部１１０の画像データ処理部１２２が、記憶部１２内の印刷データ（最新の印刷対象の印刷データ）を、インタフェース１３を介してプリンタ２０へ送信する。
【０１３１】
そして、プリンタ２０は、コンピュータ１０からの印刷データを基に画像形成処理を実施し、この画像形成処理の結果としての印刷物（記録媒体）を出力する。この場合の印刷物の一例としては、例えば図５に示す印刷オモテ面４１１に印刷される画像４１２および印刷ウラ面４２１に印刷される画像４２２に対応する内容の印刷物が挙げられる。
【０１３２】
ところで、ステップＳ１０２において切り取り線（加工線）を印刷しないと判断した画像データ処理部１１２は、記憶部１２に格納されている印刷対象の画像データを基に印刷データ（ＰＤＬデータ）を作成し（ステップＳ１０９）、その後、ステップＳ１０６へ進む。このステップＳ１０６においては、画像データ処理部１１２０は、上記作成した印刷データを、インタフェース１３を介してプリンタ２０へ送信する。
【０１３３】
そして、プリンタ２０は、コンピュータ１０からの印刷データを基に画像形成処理を実施し、この画像形成処理の結果としての印刷物（記録媒体）を出力する。この場合の印刷物の一例としては、例えば図４に示す印刷オモテ面４１１に印刷される画像４１２および印刷ウラ面４２１に印刷される画像４２２に対応する内容の印刷物が挙げられる。
【０１３４】
次に、輪郭線抽出部１２１による輪郭線の抽出処理について説明する。
【０１３５】
アプリケーションソフトウェア１０１からの印刷要求があると、プリンタドライバ１００のプリンタドライバ画像データ処理部１１０では、画像データ処理部１１２が、印刷対象データ取得部１１１によって取得され記憶部１２に保存された印刷対象の画像データを基に、例えばイメージ、図形、文字の各描画オブジェクトを作成し、これらの描画オブジェクト（ＰＤＬデータ）を記憶部１２に保存する。
【０１３６】
ここで、画像データ処理部１１２が、例えば、図１４（ａ）に示すように赤色の円５０１と青色の長方形５０２の各描画オブジェクトを作成し、プリンタドライバＵＩ処理部１２０に対し切り取り線の設定処理を依頼するものとする。
【０１３７】
その切り取り線の設定処理の依頼を受け付けたプリンタドライバＵＩ処理部１２０では、輪郭線抽出部１２１は、次のようにして輪郭線の抽出処理を実施する。
【０１３８】
すなわち、輪郭線抽出部１２１は、記憶部１２に記憶されている印刷データ（各描画オブジェクト）を基に各描画オブジェクトの描画範囲を算出するとともに、この算出した結果を基に全ての描画オブジェクトの描画範囲をあわせる処理（論理演算（論理和））を実行する。
【０１３９】
また、輪郭線抽出部１２１は、この実行した結果（論理和（ＯＲ）演算した結果）を「印刷１面分の描画範囲情報」として、記憶部１２に割り当てられる作業領域に保持する。この場合、輪郭線抽出部１２１は、論理和（ＯＲ）演算した結果に基づく描画範囲の内側を同一の色例えば黒色で塗りつぶす処理を実行する。
【０１４０】
例えば、図１４（ａ）に示す各描画オブジェクトの描画範囲の論理演算（論理和）を実行した結果は、図１４（ｂ）に示す描画範囲情報５０３となる。その描画範囲の内側は同一の色、例えば黒色で塗りつぶされている。
【０１４１】
次に、輪郭線抽出部１２１は、「印刷１面分の描画範囲情報」の各ライン（例えば主走査方向の各ライン）において、色が変化した部分の座標を記録し、これら各座標値の集合体を輪郭線として抽出する。例えば、図１４（ｂ）に示す描画範囲情報（「印刷１面分の描画範囲情報」）５０３に基づき、図１４（ｃ）に示す輪郭線５０４が抽出されることとなる。
【０１４２】
次に、プリンタドライバＵＩ処理部１２０による切り取り線（加工線）の詳細設定の処理（図１２のステップＳ１０５）の詳細について、図１５を参照して説明する。
【０１４３】
プリンタドライバＵＩ処理部１２０は、プリンタドライバ画像処理部１１０の画像データ処理部１１２からの切り取り線（加工線）の詳細設定処理の依頼を受け付けたときは、図４に示す印刷プレビューＵＩ４００を表示部１５に表示させる。
【０１４４】
また、プリンタドライバＵＩ処理部１２０は、印刷プレビュー処理部１２２によって、印刷プレビューＵＩ４００内の印刷オモテ面表示領域４１０および印刷ウラ面表示領域４２０に、記憶部１２から読み出された印刷データに基づく画像を印刷プレビューする。
【０１４５】
プリンタドライバＵＩ処理部１２０は、かんたん設定の「切り取り線（輪郭線）を自動配置」項目４４０の設定内容が更新されたか否かを判断する（ステップＳ２０１）。
【０１４６】
ここで、表示部１５に最初に印刷プレビューＵＩ４００が表示された初期状態においては、かんたん設定の「切り取り線（輪郭線）を自動配置」項目４４０はチェックされていない状態であり、かんたん設定は無効の状態である。
【０１４７】
このかんたん設定が無効の状態から、かんたん設定の「切り取り線（輪郭線）を自動配置」項目４４０がチェックされ、「ＯＫ」ボタン４５０がクリックされたときは、かんたん設定は無効から有効の状態に変更されたことになる。また、このかんたん設定が有効の状態から、かんたん設定の「切り取り線（輪郭線）を自動配置」項目４４０のチェックが外され、「ＯＫ」ボタン４５０がクリックされたときは、かんたん設定は有効から無効の状態に変更されたことになる。
【０１４８】
上述したようにして、かんたん設定が無効から有効の状態または有効から無効の状態に変更された場合は、かんたん設定の「切り取り線（輪郭線）を自動配置」項目４４０の設定内容が更新されたと判断されるようになっている。
【０１４９】
なお、かんたん設定の「切り取り線（輪郭線）を自動配置」項目４４０の設定内容はそのままの状態（チェックの状態またはチェックが外された状態つまりかんたん設定が無効または有効の状態）で、「ＯＫ」ボタン４５０がクリックされるときは、かんたん設定の「切り取り線（輪郭線）を自動配置」項目４４０の設定内容は更新されなかったと判断されるようになっている。
【０１５０】
さて、プリンタドライバＵＩ処理部１２０は、ステップＳ２０１において、かんたん設定の「切り取り線（輪郭線）を自動配置」項目４４０の設定内容が更新されたと判断した場合、その更新内容に応じて記憶部１２に記憶されている印刷データの内容を更新する（ステップＳ２０２）。
【０１５１】
このステップＳ２０２においては、プリンタドライバＵＩ処理部１２０は、上記更新内容が、かんたん設定が有効から無効の状態に変更となる内容のときは、記憶部１２に記憶されている印刷データに含まれる「切り取り線としての輪郭線」を削除することで、当該印刷データの内容を更新する。
【０１５２】
そして、印刷プレビュー処理部１２２が、その更新後の印刷データに基づいて印刷プレビューすると、例えば図５の印刷プレビューＵＩ４００は、図４の印刷プレビューＵＩ４００の内容に遷移する。
【０１５３】
一方、上記更新内容が、かんたん設定が無効から有効の状態に変更となる内容のときは、プリンタドライバＵＩ処理部１２０では、輪郭線抽出部１２１は、記憶部１２に記憶されている印刷データを基に輪郭線の抽出処理を実施し、この抽出処理の結果である輪郭線を切り取り線として当該印刷データに追加することで、当該印刷データの内容を更新する。
【０１５４】
そして、印刷プレビュー処理部１２２が、その更新後の印刷データに基づいて印刷プレビューすると、図４の印刷プレビューＵＩ４００は、図５の印刷プレビューＵＩ４００の内容に遷移する。
【０１５５】
次に、プリンタドライバＵＩ処理部１２０が、ステップ２０２を終了した場合、ステップＳ２０１においてかんたん設定の「切り取り線（輪郭線）を自動配置」項目４４０の設定内容は更新されなかったと判断した場合、プリンタドライバＵＩ処理部１２０では、加工線処理部１２３は、印刷プレビューＵＩ４００に対してのユーザの入力部１４による設定（指定）の内容に基づき、加工線の追加であるか否かを判断する（ステップＳ２０３）。
【０１５６】
ここで、印刷プレビューＵＩ４００に対して上述した「加工線の追加操作」に基づく操作が行われた場合には加工線の追加であると判断され、それ以外の操作例えば上述した「加工線としての切り取り線の印刷面の変更操作」あるいは「印刷開始の操作」に基づく操作が行われた場合は加工線の追加ではないと判断されるようになっている。
【０１５７】
さて、加工線処理部１２３は、ステップＳ２０３において加工線の追加であると判断した場合、指定された加工線を記憶部１２に記憶されている印刷データに追加することで、当該印刷データの内容を更新する（ステップＳ２０４）。
【０１５８】
そして、印刷プレビュー処理部１２２が、ステップＳ２０４での更新後の印刷データに基づいて印刷プレビューすると、例えば図７（あるいは図８）の印刷プレビューＵＩ４００は、図９の印刷プレビューＵＩ４００の内容に遷移する。
【０１５９】
次に、加工線処理部１２３は、ステップＳ２０４を終了した場合、ステップＳ２０３において加工線の追加ではないと判断した場合、印刷プレビューＵＩ４００に対してのユーザの入力部１４による設定（指定）の内容に基づき、加工線の変更であるか否かを判断する（ステップＳ２０５）。
【０１６０】
ここで、印刷プレビューＵＩ４００に対して上述した「加工線としての切り取り線の印刷面の変更操作」など既存の加工線に対する変更の操作が行われた場合には加工線の変更であると判断され、それ以外の操作例えば上述した「印刷開始の操作」に基づく操作が行われた場合は加工線の変更ではないと判断されるようになっている。
【０１６１】
加工線処理部１２３は、「加工線としての切り取り線の印刷面の変更操作」に基づく操作が行われたか否かに応じて印刷面の変更であるか否かを判断し（ステップＳ２０６）、この判断した結果、印刷面の変更の場合は、指定された加工線としての切り取り線の座標をミラー変換して、当該切り取り線が位置するべく印刷面を変更することで、記憶部１２に記憶されている印刷データの内容を更新する（ステップＳ２０７）。
【０１６２】
そして、印刷プレビュー処理部１２２が、ステップＳ２０７での更新後の印刷データに基づいて印刷プレビューすると、例えば図５（あるいは図６）の印刷プレビューＵＩ４００は、図７の印刷プレビューＵＩ４００の内容に遷移する。
【０１６３】
ステップＳ２０７を終了した場合、プリンタドライバＵＩ処理部１２０は、「印刷開始」ボタン４６０がクリックされたか否かに応じて設定が完了したか否かを判断する（ステップＳ２０８）。
【０１６４】
ここで、「印刷開始」ボタン４６０がクリックされた場合には設定が完了したと判断され、一方、「印刷開始」ボタン４６０がクリックされない場合は設定が完了しないと判断されるようになっている。
【０１６５】
プリンタドライバＵＩ処理部１２０は、ステップＳ２０８において、設定が完了しないと判断した場合にはステップＳ２０１に戻り、一方、設定が完了しないと判断した場合はこの処理を終了し、図１２の切り取り線（加工線）の設定処理に戻る。
【０１６６】
ステップＳ２０６において印刷面の変更ではないと判断した加工線処理部１２３は、ユーザの入力部１４によって指定された座標系による始点位置および終点位置の変更指定つまり加工線の位置の変更であるか否かを判断し（ステップＳ２０９）、この判断の結果、位置の変更である場合は、当該指定された加工線の位置の座標を変更することで、記憶部１２に記憶されている印刷データの内容を更新し（ステップＳ２１０）、その後、ステップＳ２０８に進む。
【０１６７】
ステップＳ２０９において加工線の位置の変更ではないと判断した加工線処理部１２３は、ユーザの入力部１４によって指定された加工線に対しての、加工線指定欄４３０に指定された加工線の種類（線種）の変更であるか否かを判断し（ステップＳ２１１）、この判断の結果、加工線の種類（線種）の変更である場合は、当該指定された加工線を当該変更後の線種に変更することで、記憶部１２に記憶されている印刷データの内容を更新し（ステップＳ２１２）、その後、ステップＳ２０８に進む。
【０１６８】
例えば、ユーザは、図９の印刷プレビューＵＩ４００において谷折り線４７３を設定すべきところ、誤って山折り線を設定した場合、その加工線として山折り線を指定し、次に加工線指定欄４３０で谷折り線を選択（山折り線から谷折り線に変更）し、さらに「ＯＫ」ボタン４５０をクリックする。これにより、加工線処理部１２３によって、山折り線が谷折り線に変更され、印刷データの内容も変更される。
【０１６９】
ステップＳ２０５において加工線の変更ではないと判断された場合、ステップＳ２１１において加工線の線種の変更ではないと判断された場合は、ステップＳ２０８に進む。
【０１７０】
なお、プリンタドライバＵＩ処理部１２０は、ステップＳ２０８において、設定が完了しないと判断された場合、この処理を終了して、図１２の切り取り線（加工線）の設定処理に戻ると、その処理を終了した旨をプリンタドライバ画像データ処理部１１０（の画像データ処理部１２２）へ通知する。これにより、プリンタドライバ画像データ処理部１１０では、画像データ処理部１２２は、ステップＳ１０６の処理を実施する。すなわち、記憶部１２内の印刷データ（最新の印刷対象の印刷データ）が、インタフェース１３を介してプリンタ２０へ送信される。
【０１７１】
次に、コンピュータ（画像処理装置、情報処理装置）１０のハードウェア構成について、図１６を参照して説明する。
【０１７２】
コンピュータ１０は、図１６に示すように、ＣＰＵ６１０、ハードディスクなどの記憶装置６２０、ＲＯＭ６３０、ＲＡＭ６４０、表示装置６５０、入力装置６６０、および通信インタフェース（通信Ｉ／Ｆ）６７０を有している。
【０１７３】
実施の形態１では、コンピュータ１０は、上述した各構成要素６１０〜６７０で画像処理装置あるおいは情報処理装置の機能を果たすようになっている。なお、情報処理装置として機能する場合、上述した各構成要素６１０〜６４０は情報処理装置に設けられる画像処理装置の機能を果たすようになっている。
【０１７４】
記憶装置６２０は、上述したプリンタドライバ１００（図１、図２参照）の機能を実現するためのプログラム、上述した処理手順（図１２、図１５参照）に対応するプログラム、アプリケーソンソフトウェア１０１（図１参照）など所定のプログラムを記憶している。なお、上述したプリンタドライバ１００の機能を実現するためのプログラムには、ドライバＵＩ３００および印刷プレビューＵＩ４００の機能を実現するためのプログラムが含まれている。この記憶装置６２０は、上述した記憶部１２（図１、図２参照）の機能の一部を果たすものである。
【０１７５】
ここで、プリンタドライバ１００の機能を実現するためのプログラム、および上述した処理手順（図１２、図１５参照）に対応するプログラムを、画像処理プログラムと定義する。
【０１７６】
なお、この画像処理プログラムには、少なくとも次の（１）〜（４）の処理過程が含まれている。
【０１７７】
（１）印刷対象の画像データ（印刷データ）に対応する所定の画像にかかわる切り取り対象の画像の輪郭線を抽出する輪郭線抽出処理過程。
【０１７８】
（２）上記所定の画像を表示手段に表示させるとともに上記輪郭線抽出処理過程により抽出された輪郭線を切り取り線として当該表示手段に表示させる画像表示処理過程。
【０１７９】
（３）上記表示手段に表示された切り取り線にかかわる指定される所定の部分を、記録媒体における当該所定の部分が位置する表面または裏面とは反対の面に位置するように変更する切り取り線処理過程。
【０１８０】
（４）上記切り取り線処理過程により変更された後の切り取り線と上記所定の部分以外の切り取り線と上記所定の画像とを最新の印刷対象の画像データ（印刷データ）として処理する画像データ処理過程。
【０１８１】
ＲＯＭ６３０は、読み出し専用メモリであり、プリンタドライバ１００（ＣＰＵ６１０）による加工線の印刷設定処理を実施するのに必要なデータ、情報などを記憶している。
【０１８２】
ＲＡＭ６４０は、随時書き込み読み出しメモリであり、記憶装置１２から読み込まれた所定のプログラム（上記画像処理プログラム、アプリケーションソフトウェア１０１）を記憶するとともに、ＲＯＭ６３０から読み込まれた情報やデータを記憶する。
【０１８３】
また、ＲＡＭ６４０、上述した記憶部１２の機能の一部を果たし、アプリケーションソフトウェア１０１（ＣＰＵ６１０）によって作成された画像データ、プリンタドライバ１００（ＣＰＵ６１０）によって作成された印刷データ、プリンタドライバ１００（のプリンタドライバＵＩ処理部１２０）によって印刷プレビューするためのデータを記憶する。
【０１８４】
表示装置６５０は、例えばディスプレイ装置で構成され、上述した表示部１５（図１参照）の機能を果たすものである。
【０１８５】
入力装置６６０は、例えばキーボードおよびマウスで構成され、上述した入力部１４（図１参照）の機能を果たすものである。
【０１８６】
通信Ｉ／Ｆ６７０は、プリンタ２０との通信を行うものであり、例えばプリンタドライバ１００のプリンタドライバ画像データ処理部１１０から送信された印刷データ（ＰＤＬデータ）を、プリンタ２０に向けて送信する。
【０１８７】
ＣＰＵ６１０は、中央演算処理装置であり、記憶装置６２０からＲＡＭ６４０へ上記所定のプログラムを読み込んで実行することにより、プリンタドライバ１００の機能を実現する。
【０１８８】
本願明細書において、画像処理プログラムを含む上記所定のプログラムを記録媒体としてのハードディスク等の記憶装置に記録する実施形態として説明したが、当該所定のプログラムを次のようにして提供することも可能である。
【０１８９】
すなわち、上記所定のプログラムをＲＯＭに格納しておき、ＣＰＵが、この所定のプログラムをこのＲＯＭから主記憶装置へローディングして実行するようにしてもよい。
【０１９０】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。この場合、その記録媒体に記録された所定のプログラムを画像処理装置がインストールした後、この所定のプログラムをＣＰＵが実行するようにする。この所定のプログラムのインストール先としては、ＲＡＭ等のメモリやハードディスクなどの記憶装置がある。そして、コンピュータは、必要に応じてこの記憶装置に記憶した所定のプログラムを主記憶装置にローディングして実行する。
【０１９１】
さらには、コンピュータを通信回線（例えばインターネット）を介してサーバ装置あるいはホストコンピュータと接続するようにし、当該コンピュータが、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）がある。そして、当該コンピュータが、必要に応じてこの記憶装置に記憶された上記所定のプログラムを主記憶装置にローディングして実行するようにする。
【０１９２】
以上説明したように、実施の形態１によれば、コンピュータ（プリンタドライバ）において、所定の加工が施された後の結果が高品質となる印刷物に対応する画像データ（印刷データ）を得ることができる。
【０１９３】
また、実施の形態１によれば、ユーザは、印刷プレビューＵＩを用いて、任意の加工線（切り取り線、谷折り線、山折り線など）を、記録媒体に対応する印刷オモテ面または印刷ウラ面に指定することができる。
【０１９４】
さらに、実施の形態１によれば、印刷プレビューＵＩを用いて所定の画像に対し指定（設定）された加工線（切り取り線、谷折り線、山折り線など）を含む印刷データに基づき画像形成（印刷）された印刷物（記録媒体）に対し、その加工線に従って所定の加工（例えば、切り取り、谷折り、山折りなど）を施した場合、当該加工後の印刷物の仕上がりをよくすることができる。
【０１９５】
（実施の形態２）
【０１９６】
図１７は、実施の形態２に係る画像形成システムの機能構成を示している。
【０１９７】
画像形成システム２は、図１７に示すように、コンピュータ４０と画像形成装置の機能を果たすプリンタ５０とを有している。コンピュータ４０とプリンタ５０とは通信回線６０を介して接続されている。通信回線６０としては、通信ケーブル、ローカルエリアネットワーク（ＬＡＮ）や電話回線などの有線通信回線、無線ＬＡＮなどの無線通信回線、さらには、これらの通信回線を組み合わせたもの、などが挙げられる。
【０１９８】
コンピュータ４０は、画像処理部４１、記憶部４２、インタフェース４３、入力部４４、および表示部４５を備えている。
【０１９９】
画像処理部４１は、画像データを作成し、印刷要求時にその印刷対象の画像データをプリンタドライバ４１Ｂへ出力するするアプリケーションソフトウェア４１Ａと、アプリケーションソフトウェア４１Ａからの印刷対象の画像データを印刷データに変換して、インタフェース４３へ出力するプリンタドライバ４１Ｂと、を有している。すなわち、画像処理部４１は、画像データを作成するとともに印刷データを作成し、この作成した印刷データをインタフェース４３へ出力する。
【０２００】
記憶部４２は、上記作成された画像データや印刷データなどを記憶する。
【０２０１】
インタフェース４３は、プリンタ５０との間で通信を行うものであり、例えば画像処理部４１からの印刷データ（画像データ）をプリンタ５０に向けて送信する。
【０２０２】
入力部４４は、例えばキーボード、マウスなど入力装置であり、画像データの作成や印刷要求の指示など所定の入力情報を入力する。
【０２０３】
表示部４５は、例えばディスプレイ装置であり、所定の表示情報を表示する。
【０２０４】
プリンタ５０は、インタフェース５１、処理部５００、記憶部５２、エンジン制御部５３、エンジン部５４、入力部５５、および表示部５６を有している。
【０２０５】
インタフェース５１は、コンピュータ１０との間で通信を行うものであり、例えば印刷データを受信し、これを処理部５００へ出力する
【０２０６】
処理部５００は、画像処理部５１０およびユーザインタフェース処理部（以下「ＵＩ処理部」という。）５２０を有している。
【０２０７】
画像処理部５１０は、インタフェース５１からの印刷データに対し描画処理（ラスタデータへの変換処理）、色変換処理、階調補正処理、網点生成処理など画像処理を施し、これをエンジン制御部５３へ出力する。
【０２０８】
ＵＩ処理部５２０は、ユーザの指示情報に従ってその印刷対象の印刷データ（画像データ）に対し切り取り線あるいは加工線を設定する。
【０２０９】
記憶部５２は、上記作成された画像データや印刷データ、画像処理部５２による処理の過程の結果（更新後の印刷データ）、後述する加工線印刷設定ユーザインタフェースや印刷プレビューユーザインタフェースなどを記憶する。
【０２１０】
エンジン制御部５３は、エンジン部５４に対し、画像処理部５２からの画像処理後の画像データ（ページ単位のラスタデータ）を出力し画像形成を実施するように制御する。
【０２１１】
エンジン部５４は、エンジン制御部５３の制御に従って画像データに基づき画像を記録媒体（例えば用紙）に画像形成（印刷）し、その記録媒体（印刷物）をプリンタ５０の外部へ出力する。
【０２１２】
入力部５５は、切り取り線などの加工線の印刷設定など所定の入力情報を入力する。
【０２１３】
表示部５６は、後述するドライバユーザインタフェース、印刷プレビューユーザインタフェース、所定の画像などをプレビュー（印刷プレビュー）するなど所定の表示情報を表示する。
【０２１４】
実施の形態２では、入力部５５および表示部５６は例えばタッチパネル（タッチスクリーン）で実現される。
【０２１５】
また、実施の形態２では、表示部５６は、印刷対象の画像データに対応する所定の画像、該所定の画像にかかわる切り取り対象の画像の輪郭線などの表示情報を表示（印刷プレビュー）する表示手段の機能と、上記所定の画像および上記切り取り線を、これらの記録媒体に形成される内容に応じて記録媒体の表面および裏面のそれぞれに対応させて表示する表示手段の機能と、を有している。
【０２１６】
また、実施の形態２では、入力部５５は、表示部（表示手段）５６に表示（印刷プレビュー）された切り取り線にかかわる所定の部分を指定する切り取り線指定手段の機能と、該指定した所定の部分の長さを調整するべく座標系による始点位置および終点位置を指定する切り取り線指定手段の機能とを有している。入力部５５は、表示部５６に表示された所定の画像に対し新たな加工線を設定する加工線設定手段の機能も有している。
【０２１７】
また、実施の形態２では、少なくとも処理部５００および記憶部５２は画像処理装置として機能するようになっている。
【０２１８】
さらに、実施の形態２では、処理部５００および構成要素５１，５２，５５，５６は画像処理装置として機能するようになっている。
【０２１９】
次に、処理部５００の詳細について、図１８を参照して説明する。
【０２２０】
処理部５００において、画像処理部５１０は、図１８に示すように、印刷対象データ取得部５１１と画像データ処理部５１２とを有している。
【０２２１】
印刷対象データ取得部５１１は、インタフェース５１を介して、コンピュータ４０からの印刷対象の印刷データ（画像データ）を取得する画像データ取得手段の機能を有している。
【０２２２】
画像データ処理部５１２は、印刷対象データ取得部５１１が取得した印刷対象の印刷データ（ＰＤＬデータ）を記憶部５２に保存する。
【０２２３】
また、画像データ処理部５１２は、印刷データを記憶部５２に保存した後、切り取り線の設定処理を行うか否かをユーザに対し問い合わせするとともに、ユーザからの当該問い合わせに対する結果が切り取り線の設定処理を実施しない旨のときは、記憶部５２に記憶されている印刷データを読み出してエンジン制御部５３に渡し、一方、ユーザからの当該問い合わせに対する結果が切り取り線の設定処理を実施する旨のときは、ＵＩ処理部５２０に対し、切り取り線の設定処理を依頼する。
【０２２４】
また、画像データ処理部５１２は、後述する切り取り線処理部（切り取り線処理手段）５２４による変更処理の結果に基づく切り取り線と印刷対象データ取得部（画像データ取得手段）５１１が取得した印刷データ（画像データ）に対応する所定の画像とを最新の印刷対象の印刷データ（画像データ）として処理する画像データ処理手段の機能を有している。
【０２２５】
さらに、画像データ処理部５１２は、後述する切り取り線処理部５２４による変更処理の結果に基づく切り取り線と上記所定の画像と入力部（加工線設定手段）５５によって設定された加工線とを最新の印刷対象の印刷データ（画像データ）として処理する画像データ処理手段の機能も有している。
【０２２６】
なお、画像データ処理部５１２は、後述する切り取り線処理部５２４からの切り取り線（加工線）の設定の完了を示す旨を受け取ったときは、記憶部５２の記憶部内容（最新の印刷対象の印刷データ）を読み出してエンジン制御部５３に渡す。
【０２２７】
エンジン制御部５３は、画像データ処理部５１２から渡された印刷データをエンジン部５４へ出力する。
【０２２８】
ＵＩ処理部５２０は、図１８に示すように、輪郭線抽出部５２１、印刷プレビュー処理部５２２、および加工線処理部５２３を有している。
【０２２９】
輪郭線抽出部５２１は、印刷対象データ取得部（画像データ取得手段）５１１が取得した印刷データ（画像データ）に対応する所定の画像にかかわる切り取り対象の画像の輪郭線を抽出する輪郭線抽出手段の機能を有している。
【０２３０】
この輪郭線抽出部５２１は、記憶部５２に保存されている印刷データ（画像データ）を基に切り取り対象の画像の輪郭線を抽出し、この抽出した輪郭線を基に記憶部５２の記憶内容を更新するとともに、輪郭線を抽出した旨を印刷プレビュー処理部５２２へ通知する。なお、記憶部５２には、所定の画像と輪郭線とをそれぞれ示す印刷データ（画像データ）が記憶されていることになる。
【０２３１】
印刷プレビュー処理部５２２は、上記所定の画像を表示部（表示手段）５６に表示（印刷プレビュー）させるとともに輪郭線抽出部（輪郭線抽出手段）５２１が抽出した輪郭線を切り取り線として表示部５６に表示（印刷プレビュー）させる画像表示処理手段の機能を有している。
【０２３２】
この印刷プレビュー処理部５２２は、記憶部５２の記憶内容（印刷データ）を基に所定の画像および切り取り線（輪郭線）を表示部５６に印刷プレビューさせるとともに、印刷プレビューさせた旨を加工線処理部５２３へ通知する。
【０２３３】
加工線処理部５２３は、切り取り線処理部５２４を有している。
【０２３４】
切り取り線処理部５２４は、表示部５６に表示された切り取り線にかかわる指定される所定の部分、つまり入力部（切り取り線指定手段）５５によって指定された切り取り線にかかわる所定の部分を、記録媒体（例えば用紙）における当該所定の部分が位置する表面または裏面とは反対の面に位置するように変更する切り取り線処理手段の機能を有している。
【０２３５】
また、切り取り線処理部５２４は、入力部（切り取り線指定手段）５５によって指定された始点位置および終点位置の各位置情報に基づく長さの所定の部分を、記録媒体における当該所定の部分が位置する表面または裏面とは反対の面に位置するように変更する切り取り線処理手段の機能も有している。
【０２３６】
なお、切り取り線処理部５２４は、切り取り線にかかわる所定の部分の位置を所定の位置に変更したときは、その変更内容に応じて記憶部５２の記憶内容を更新するとともに、入力部５５からの入力操作による切り取り線（加工線）の設定の完了を示す旨を受け取ったときは、その旨を画像処理部５１０の画像データ処理部５１２へ通知する。
【０２３７】
ちなみに、切り取り線（加工線）の設定の完了を示す旨を切り取り線処理部５２４が受け取ったときは、記憶部５２の記憶部内容は最新の印刷対象の印刷データ（画像データ）となる。
【０２３８】
上述した構成の処理部５２０は、画像処理部５１０の画像データ処理部１１２からの切り取り線の設定処理の依頼を受け付けたときに、輪郭線抽出部５２１、印刷プレビュー処理部５２２、および加工線処理部５２３による上述した所定の処理を実施することとなる。
【０２３９】
次に、印刷対象の印刷データ（画像データ）に対応する所定の画像に対する切り取り線などの加工線の設定の操作について、図１９を参照して説明する。
【０２４０】
コンピュータ４０からの印刷対象の印刷データを受信したプリンタ５０では、画像処理部５１０が、その印刷データを記憶部５２に保存するとともに、記録部５２に記憶されている図１９に示すような加工線印刷設定ユーザインタフェース（以下「加工線印刷設定ＵＩ」という。）７００を表示部５６に表示させる。
【０２４１】
加工線印刷設定ＵＩ７００において、ユーザが入力部５５を操作して「切り取り線設定」のユーザインタフェースタブ（以下「ＵＩタブ」という。）７０１を選択（クリック）すると、「切り取り線設定」のための領域７０２が表示される。そして、ユーザは、切り取り線の印刷を行う場合、入力部５５を操作して「切り取り線を印刷する」の項目７０３をチェックする。このようにして「切り取り線を印刷する」の項目７０３がチェックされると、「印刷プレビューで詳細設定を行う」の項目７０４が選択可能になるので、ユーザは、詳細設定を行う場合、入力部５５を操作して「印刷プレビューで詳細設定を行う」の項目３０４をチェックし、さらに「ＯＫ」ボタン７０５を選択（クリック）する。
【０２４２】
このようにして入力（設定）された加工線印刷設定ＵＩ７００に対する入力情報（設定情報）は画像処理部５１０（の画像データ処理部５１２）に入力されるようになっている。
【０２４３】
ところで、画像データ処理部５１２が実施する、上述した切り取り線の設定処理を行うか否かのユーザに対する問い合わせは、加工線印刷設定ＵＩ７００を表示部５６に表示することにより行われる。そして、少なくとも、ＵＩタブ３０１が選択（クリック）され、「切り取り線を印刷する」の項目７０３がチェックされたときは、切り取り線の設定処理を実施する旨が指定されたとする。これに対し、「ＯＫ」ボタン７０５のみが選択（クリック）されたときは、切り取り線の設定処理を実施しない旨が指定されたとする。
【０２４４】
ＵＩ処理部５２０は、画像処理部５１０の画像データ処理部５１２からの切り取り線の設定処理の依頼を受け付けると、記憶部５２に記憶されている印刷データに対応する所定の画像および図４に示した実施の形態１の印刷プレビューＵＩ４００を表示部５６に表示させる。この印刷プレビューＵＩ４００は、実施の形態１の印刷プレビューＵＩ４００の構成および機能と同様である。
【０２４５】
実施の形態２においても、実施の形態１の場合と同様に、（１）「加工線としての切り取り線（輪郭線）の配置操作」、（２）「加工線としての切り取り線の印刷面の変更操作」、（３）「加工線の追加操作」、および（４）「印刷開始の操作」に基づく操作を行うことができる（図４〜図９参照）。
【０２４６】
なお、上記「印刷開始の操作」が行われた場合、図９に示す印刷プレビューＵＩ４００の表示内容に対応する印刷データは、処理部５００（の画像処理部５１２）からエンジン制御部５３を経由してエンジン部５４に与えられる。このエンジン部５４によって、その印刷データ（画像データ）に基づき画像が記録媒体（用紙）に画像形成される。
【０２４７】
このようにして画像形成処理が実施された結果つまり印刷物（記録媒体）の一例が図１０（ａ）に示す内容であり、この図１０（ａ）に示す印刷物に対し、その印刷物に印刷されている加工線を基に加工を施した後の、加工後の印刷物の一例が図１０（ｂ）に示す内容である。
【０２４８】
次に、プリンタ５０による切り取り線（加工線）の設定処理について、図２０を参照して説明する。
【０２４９】
図２０は、その切り取り線（加工線）の設定処理の処理手順を示すフローチャートである。
【０２５０】
プリンタ５０では、インタフェース５１がコンピュータ４０からの印刷対象の印刷データを受信すると、処理部５００では、印刷対象データ取得部５１１によってインタフェース５１からの印刷対象の印刷データを取得するとともに（ステップＳ３０１）、画像データ処理部５１２によって前記取得された印刷データを記憶部５２に格納し、その後、図１９に示す加工線印刷設定ＵＩ７００を表示部５６に表示させる。
【０２５１】
ここで、印刷対象の印刷データは、例えば図４に示した印刷オモテ面４１１に印刷される画像４１２、および印刷ウラ面４２１に印刷される画像４２２に対応する印刷データであるとする。
【０２５２】
さて、ユーザは、表示部５６に表示された加工線印刷設定ＵＩ７００を利用して、切り取り線の印刷設定を行う場合、入力部５５を操作して、ＵＩタブ７０１を選択（クリック）し、次にこの操作に起因して「切り替え線設定」のための領域７０２が表示されるので「切り取り線を印刷する」の項目７０３をチェックする。
【０２５３】
このようにして「切り取り線を印刷する」の項目７０３がチェックされると、「印刷プレビューで詳細設定を行う」の項目７０４が選択可能になるので、ユーザは、詳細設定を行う場合、入力部５５を操作して「印刷プレビューで詳細設定を行う」の項目７０４をチェックし、さらに「ＯＫ」ボタン７０５を選択（クリック）する。
【０２５４】
なお、ユーザは、切り取り線の印刷設定を行わない場合、入力部５５を操作して、「ＯＫ」ボタン７０５のみを選択（クリック）する。
【０２５５】
さて、画像処理部５１０では、画像データ処理部５１２は、「切り取り線を印刷する」の項目７０３がチェックされたか否かに応じて、切り取り線（加工線）を印刷するか否かを判断する（ステップＳ３０２）。
【０２５６】
ここで、「切り取り線を印刷する」の項目７０３がチェックされた場合には切り取り線（加工線）を印刷すると判断され、一方、その項目７０３がチェックされない、またはＵＩタブ７０１が選択（クリック）されず、「ＯＫ」ボタン７０５が選択（クリック）された場合は、切り取り線（加工線）を印刷しないと判断されるようになっている。
【０２５７】
ステップＳ３０２において切り取り線（加工線）を印刷すると判断した画像データ処理部５１２は、「印刷プレビューで詳細設定を行う」の項目７０４がチェックされたか否かに応じて、切り取り線（加工線）の詳細設定が必要であるか否かを判断する（ステップＳ３０３）。
【０２５８】
ここで、「印刷プレビューで詳細設定を行う」の項目７０４がチェックされ、さらに「ＯＫ」ボタン７０５が選択（クリック）された場合には、切り取り線（加工線）の詳細設定が必要であると判断され、一方、「印刷プレビューで詳細設定を行う」の項目７０４がチェックされず、「ＯＫ」ボタン７０５が選択（クリック）された場合は、切り取り線（加工線）の詳細設定は必要ないと判断されるようになっている。
【０２５９】
ステップＳ３０３において切り取り線（加工線）の詳細設定が必要であると判断した画像データ処理部５１２は、ＵＩ処理部５２０に対し、切り取り線（加工線）の詳細設定処理を依頼する。
【０２６０】
その切り取り線（加工線）の詳細設定処理の依頼を受け付けたＵＩ処理部５２０は、印刷プレビュー表示画面つまり印刷プレビューＵＩ４００に対しての切り取り線（加工線）の詳細設定、およびその設定内容に基づき印刷データを変更するなど、切り取り線（加工線）の詳細設定の処理を実行する（ステップＳ３０４）。この場合、印刷プレビューＵＩ４００が表示されることになる。
【０２６１】
なお、切り取り線（加工線）の詳細設定処理は、図１５に示した実施の形態１の切り取り線（加工線）の詳細設定の処理と同様である。そのため、ここではその詳細設定処理の詳細についての説明は省略する。
【０２６２】
ステップＳ３０４を終了したＵＩ処理部５２０は、切り取り線（加工線）の詳細設定の処理を終了した旨を画像処理部５１０（の画像データ処理部５１２）へ通知する。画像処理部５１０では、画像データ処理部５１２は、記憶部５２内の印刷データ（最新の印刷対象の印刷データ）を、エンジン制御部５３へ出力する（ステップＳ３０５）。
【０２６３】
そして、エンジン制御部５３がその印刷データをエンジン部５４へ出力すると、エンジン部５４は、受け取った印刷データを基に画像形成処理を実施し、この画像形成処理の結果としての印刷物（記録媒体）を出力する。この場合の印刷物の一例としては、例えば図１０（ａ）に示す内容の印刷物が挙げられる。
【０２６４】
ところで、ステップＳ３０３において切り取り線（加工線）の詳細設定は必要ないと判断した画像データ処理部５１２は、ＵＩ処理部５２０に対し、輪郭線の抽出処理を依頼する。
【０２６５】
その輪郭線抽出処理の依頼を受け付けたＵＩ処理部５２０では、輪郭線抽出部５２１は、記憶部５２に保存されている印刷データを基に切り取り対象の画像の輪郭線を抽出し、この抽出した輪郭線を基に記憶部５２の記憶内容を更新する（ステップＳ３０６）。この場合、印刷プレビューＵＩ４００は表示されない。
【０２６６】
なお、輪郭線抽出処理は、実施の形態１の輪郭線抽出部１２１による輪郭線の抽出処理と同様である。そのため、ここではその輪郭線抽出処理の詳細についての説明は省略する。
【０２６７】
輪郭線抽出部５２１による輪郭線抽出処理が終了すると、ＵＩ処理部５２０は、輪郭線抽出処理が終了した旨を画像処理部５１０（の画像データ処理部５１２）へ通知する。
【０２６８】
そして、ステップＳ３０５が実行される。すなわち、画像処理部５１０の画像データ処理部５１２が、記憶部５２内の印刷データ（最新の印刷対象の印刷データ）を、エンジン制御部５３へ出力する。
【０２６９】
そして、エンジン制御部５３がその印刷データをエンジン部５４へ出力すると、エンジン部５４は、受け取った印刷データを基に画像形成処理を実施し、この画像形成処理の結果としての印刷物（記録媒体）を出力する。この場合の印刷物の一例としては、例えば図５に示す印刷オモテ面４１１に印刷される画像４１２および印刷ウラ面４２１に印刷される画像４２２に対応する内容の印刷物が挙げられる。
【０２７０】
ところで、ステップＳ３０２において切り取り線（加工線）を印刷しないと判断した画像データ処理部５１２は、ステップＳ３０５へ進む。このステップＳ３０５においては、画像処理部５１０の画像データ処理部５１２が、記憶部５２内の印刷データ（取得された印刷対象の印刷データのままの状態）を、エンジン制御部５３へ出力する。
【０２７１】
そして、エンジン制御部５３がその印刷データをエンジン部５４へ出力すると、エンジン部５４は、受け取った印刷データを基に画像形成処理を実施し、この画像形成処理の結果としての印刷物（記録媒体）を出力する。この場合の印刷物の一例としては、例えば図４に示す印刷オモテ面４１１に印刷される画像４１２および印刷ウラ面４２１に印刷される画像４２２に対応する内容の印刷物が挙げられる。
【０２７２】
次に、プリンタ（画像形成装置）５０のハードウェア構成について、図２１を参照して説明する。
【０２７３】
プリンタ５０は、図２１に示すように、ＣＰＵ８１０、ハードディスクなどの記憶装置８２０、ＲＯＭ８３０、ＲＡＭ８４０、表示装置８５０、入力装置８６０、通信インタフェース（通信Ｉ／Ｆ）８７０、および画像出力装置８８０を有している。
【０２７４】
実施の形態２では、プリンタ５０は、上述した構成要素８１０〜８８０で画像形成装置の機能を果たすようになっている。なお、画像形成装置として機能する場合、上述した各構成要素８１０〜８４０は画像形成装置に設けられる画像処理装置の機能を果たすようになっている。
【０２７５】
記憶装置８２０は、上述した処理部５００（図１７、図１８参照）の機能を実現するためのプログラム、上述した処理手順（図２０、図１５参照）に対応するプログラム、など所定のプログラムを記憶している。処理部５００の機能を実現するためのプログラムには、加工線印刷設定ＵＩ７００および印刷プレビューＵＩ４００の機能を実現するためのプログラムが含まれている。この記憶装置８２０は、上述した記憶部５２（図１７、図１８参照）の機能の一部を果たすものである。
【０２７６】
ここで、上述した処理部５００の機能を実現するためのプログラム、および上述した処理手順に対応するプログラムを、画像処理プログラム８２０Ａと定義する。
【０２７７】
なお、この画像処理プログラム８２０Ａには、少なくとも次の（１）〜（４）の処理過程が含まれている。
【０２７８】
（１）印刷対象の画像データ（印刷データ）に対応する所定の画像にかかわる切り取り対象の画像の輪郭線を抽出する輪郭線抽出処理過程。
【０２７９】
（２）上記所定の画像を表示手段に表示させるとともに上記輪郭線抽出処理過程により抽出された輪郭線を切り取り線として当該表示手段に表示させる画像表示処理過程。
【０２８０】
（３）上記表示手段に表示された切り取り線にかかわる指定される所定の部分を、記録媒体における当該所定の部分が位置する表面または裏面とは反対の面に位置するように変更する切り取り線処理過程。
【０２８１】
（４）上記切り取り線処理過程により変更された後の切り取り線と上記所定の部分以外の切り取り線と上記所定の画像とを最新の印刷対象の画像データ（印刷データ）として処理する画像データ処理過程。
【０２８２】
ＲＯＭ８３０は、読み出し専用メモリであり、処理部５００の画像処理部３１０（ＣＰＵ６１０）による加工線の印刷設定処理を実施するのに必要なデータ、画像形成処理するのに必要なデータなどを記憶している。
【０２８３】
ＲＡＭ８４０は、随時書き込み読み出しメモリであり、記憶装置５２から読み込まれた所定のプログラム（上記画像処理プログラム５２０Ａなど）を記憶するとともに、ＲＯＭ８３０から読み込まれたデータを記憶する。
【０２８４】
また、ＲＡＭ８４０、上述した記憶部５２（図１７、図１８参照）の機能の一部を果たし、処理部５００の画像処理部５１０（ＣＰＵ８１０）によって取得された印刷データ、処理部５００のＵＩ処理部５２０（ＣＰＵ８１０）によって印刷プレビューするためのデータを記憶する。
【０２８５】
表示装置８５０は、例えばディスプレイ装置で構成され、上述した表示部５６（図１７参照）の機能を果たすものである。
【０２８６】
入力装置８６０は、例えばキーボードおよびマウスで構成され、上述した入力部５５（図１７参照）の機能を果たすものである。
【０２８７】
ここで、表示装置８５０および入力装置８６０は、例えば通信ケーブルを介して、上記各構成要素８１０〜８４０，８７０，８８０で構成される装置本体と電気的に接続されるようになっている。
【０２８８】
通信Ｉ／Ｆ８７０は、コンピュータ４０との通信を行うものであり、例えばコンピュータ４０から送信された印刷データ（ＰＤＬデータ）を受信する。
【０２８９】
ＣＰＵ８１０は、中央演算処理装置であり、記憶装置８２０からＲＡＭ８４０へ上記所定のプログラムを読み込んで実行することにより、処理部５００の機能を実現する。
【０２９０】
画像出力装置８８０は、上述したエンジン制御部５３およびエンジン部５４の機能を果たし、印刷データに基づき画像を記録媒体（例えば用紙）に画像形成（印刷）し、その記録媒体（印刷物）をプリンタ５０の外部へ出力する。
【０２９１】
なお、プリンタ５０は、表示装置８５０および入力装置８６０に代替して表示機能および入力機能を有するタッチパネル（タッチスクリーン）を備えるようにしてもよい。
【０２９２】
本願明細書において、画像処理プログラムを含む上記所定のプログラムを記録媒体としてのハードディスク等の記憶装置に記録する実施形態として説明したが、当該所定のプログラムを次のようにして提供することも可能である。
【０２９３】
すなわち、上記所定のプログラムをＲＯＭに格納しておき、ＣＰＵが、この所定のプログラムをこのＲＯＭから主記憶装置へローディングして実行するようにしてもよい。
【０２９４】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。この場合、その記録媒体に記録された所定のプログラムを画像処理装置がインストールした後、この所定のプログラムをＣＰＵが実行するようにする。この所定のプログラムのインストール先としては、ＲＡＭ等のメモリやハードディスクなどの記憶装置がある。そして、プリンタは、必要に応じてこの記憶装置に記憶した所定のプログラムを主記憶装置にローディングして実行する。
【０２９５】
さらには、プリンタを通信回線（例えばインターネット）を介してサーバ装置あるいはホストコンピュータと接続するようにし、当該プリンタが、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）がある。そして、当該プリンタが、必要に応じてこの記憶装置に記憶された上記所定のプログラムを主記憶装置にローディングして実行するようにする。
【０２９６】
以上説明したように、実施の形態２によれば、プリンタにおいて、所定の加工が施された後の結果が高品質となる印刷物に対応する画像データを得ることができる。
【０２９７】
また、実施の形態２によれば、実施の形態１の場合と同様に、ユーザは、印刷プレビューＵＩを用いて、任意の加工線（切り取り線、谷折り線、山折り線など）を、記録媒体に対応する印刷オモテ面または印刷ウラ面に指定することができる。
【０２９８】
さらに、実施の形態２によれば、実施の形態１の場合と同様に、印刷プレビューＵＩを用いて所定の画像に対し指定（設定）された加工線（切り取り線、谷折り線、山折り線など）を含む印刷データに基づき画像形成（印刷）された印刷物（記録媒体）に対し、その加工線に従って所定の加工（例えば、切り取り、谷折り、山折りなど）を施した場合、当該加工後の印刷物の仕上がりをよくすることができる。
【産業上の利用可能性】
【０２９９】
本発明は、最新の印刷対象の画像データ（印刷データ）をカード型記憶媒体（メモリカード、ＰＣカードなど）や外部記憶装置に出力する画像処理装置あるいは情報処理装置に適用することができる。
【０３００】
また、本発明は、カード型記憶媒体や外部記憶装置から印刷対象の印刷データ（画像データ）を取得する画像形成装置に適用することができる。
【０３０１】
さらに、本発明は、画像処理装置または情報処理装置と画像形成装置とを有し、これらの装置がカード型記憶媒体や外部記憶装置を介して印刷データ（画像データ）を授受する印刷システムに適用することができる。
【図面の簡単な説明】
【０３０２】
【図１】実施の形態１に係る画像形成システムの機能構成を示すブロック図である。
【図２】実施の形態１に係るコンピュータが有するプリンタドライバの機能構成を示すブロック図である。
【図３】実施の形態１に係るプリンタドライバによって提供されるドライバユーザインタフェースを説明する図である。
【図４】実施の形態１に係るプリンタドライバによって提供される印刷プレビューユーザインタフェースとそれに対する操作の一例（切り取り線の印刷設定操作の一例）とを説明する図である。
【図５】実施の形態１に係る印刷プレビューユーザインタフェースに対し切り取り線の印刷設定操作が行われた場合の当該印刷プレビューユーザインタフェース内での画像の印刷プレビューの一例を説明する図である。
【図６】実施の形態１に係る印刷プレビューユーザインタフェースとそれに対する操作の一例（切り取り線の印刷面の変更操作の一例）とを説明する図である。
【図７】実施の形態１に係る印刷プレビューユーザインタフェースに対し切り取り線の印刷面の変更操作が行われた場合の当該印刷プレビューユーザインタフェース内での画像の印刷プレビューの一例を説明する図である。
【図８】実施の形態１に係る印刷プレビューユーザインタフェースとそれに対する操作の一例（新たな加工線の追加操作の一例）とを説明する図である。
【図９】実施の形態１に係る印刷プレビューユーザインタフェースに対し新たな加工線の追加操作が行われた場合の当該印刷プレビューユーザインタフェース内での画像の印刷プレビューの一例を説明する図である。
【図１０】実施の形態１に係る印刷プレビューユーザインタフェースに対して設定された内容に基づき画像形成処理が実施された結果である印刷物（記録媒体）の一例とその印刷物に対し加工を施した結果の一例とを示す図である。
【図１１】実施の形態１に係る印刷物に対し加工を施した後の加工後の印刷物の利用形態を説明する図である。
【図１２】実施の形態１に係る切り取り線（加工線）の設定処理の処理手順を示すフローチャートである。
【図１３】実施の形態１に係る印刷対象の画像データの一例を説明する図である。
【図１４】実施の形態１に係る輪郭線の抽出処理を説明する図である。
【図１５】実施の形態１に係る切り取り線（加工線）の詳細設定処理の処理手順を示すフローチャートである。
【図１６】実施の形態１に係るコンピュータのハードウェア構成を示す構成図である。
【図１７】実施の形態２に係る画像形成システムの機能構成を示すブロック図である。
【図１８】実施の形態２に係るプリンタに設けられる処理部の機能構成を示すブロック図である。
【図１９】実施の形態２に係る処理部によって提供される加工線設定処理ユーザインタフェースを説明する図である。
【図２０】実施の形態２に係る切り取り線（加工線）の設定処理の処理手順を示すフローチャートである。
【図２１】実施の形態２に係るプリンタのハードウェア構成を示す構成図である。
【符号の説明】
【０３０３】
１，２  画像形成システム
１０，４０  コンピュータ
２０，５０  プリンタ
３０，６０  通信回線
１１  画像処理部
１２，４２，５２  記憶部
１３，２１，４３，５１  インタフェース
１４，４４，５５  入力部
１５，４５，５６  表示部
２２  画像処理部
２３，５３  エンジン制御部
２４，５４  エンジン部
２５  操作パネル
１００  プリンタドライバ
１１０  プリンタドライバ画像処理部
１１１，５１１  印刷対象データ取得部
１１２，５１２  画像データ処理部
１２０  プリンタドライバユーザインタフェース処理部
１２１，５２１  輪郭線抽出部
１２２，５２２  印刷プレビュー処理部
１２３，５２３  加工線処理部
１２４，５２４  切り取り線処理部
３００  ドライバユーザインタフェース
４００  印刷プレビューユーザインタフェース
５００  処理部
５１０  画像処理部
５２０  ユーザインタフェース処理部
６１０，８１０  ＣＰＵ
６２０，８２０  記憶装置
６３０，８３０  ＲＯＭ
６４０，８４０  ＲＡＭ
６５０，８５０  表示装置
６６０，８６０  入力装置
６７０，８７０  通信インタフェース
７００  加工線印刷設定ユーザインタフェース
８８０  画像出力装置
【図１】
2009288943.tif 000003
【図２】
2009288943.tif 000004
【図３】
2009288943.tif 000005
【図１１】
2009288943.tif 000006
【図１２】
2009288943.tif 000007
【図１４】
2009288943.tif 000008
【図１５】
2009288943.tif 000009
【図１６】
2009288943.tif 000010
【図１７】
2009288943.tif 000011
【図１８】
2009288943.tif 000012
【図１９】
2009288943.tif 000013
【図２０】
2009288943.tif 000014
【図２１】
2009288943.tif 000015
【図４】
2009288943.tif 000016
【図５】
2009288943.tif 000017
【図６】
2009288943.tif 000018
【図７】
2009288943.tif 000019
【図８】
2009288943.tif 000020
【図９】
2009288943.tif 000021
【図１０】
2009288943.tif 000022
【図１３】
2009288943.tif 000023